(57)【特許請求の範囲】
【請求項１】
コネクタと、前記コネクタ内にスライド自在に設けられ、前記コネクタ内に相手コネクタが進入すると前記相手コネクタに当接して前記相手コネクタの進入方向に押し込まれ、さらに進入して前記相手コネクタ及び前記コネクタが嵌合すると前記相手コネクタとの当接が解除されて前記進入方向と逆の方向に戻されるスライダと、を備えたコネクタ構造であって、
前記コネクタは、可撓性を有するロックアームと、前記ロックアームの先端部に設けられ、前記相手コネクタが挿入されると当該相手コネクタに設けられた係止突起を乗り上げた後に、当該係止突起と係止する係止部と、前記ロックアームの先端部に設けられた突部と、有し、
前記スライダは、前記相手コネクタに当接して前記進入方向に押し込まれると、前記ロックアームの突部が乗り上げることにより、前記係止部が前記係止突起を乗り上げる方向に当該ロックアームを撓ませる傾斜面が設けられた、撓ませ部を有し、
前記スライダにおいて、前記撓ませ部の傾斜面は、前記相手コネクタとの当接部よりも前記進入方向側に設けられている
ことを特徴とするコネクタ構造。
【請求項２】
コネクタと、前記コネクタ内にスライド自在に設けられ、前記コネクタ内に相手コネクタが進入すると前記相手コネクタに当接して前記相手コネクタの進入方向に押し込まれ、さらに進入して前記相手コネクタ及び前記コネクタが嵌合すると前記相手コネクタとの当接が解除されて前記進入方向と逆の方向に戻されるスライダと、を備えたコネクタ構造であって、
前記コネクタは、可撓性を有するロックアームと、前記ロックアームの先端部に設けられ、前記相手コネクタが挿入されると当該相手コネクタに設けられた係止突起を乗り上げた後に、当該係止突起と係止する係止部と、前記ロックアームの先端部に設けられた突部と、有し、
前記スライダは、前記進入方向及び前記ロックアームの可撓方向の双方に垂直な垂直方向に離間して並べられた一対の離間壁と、前記一対の離間壁間に設けられ、一端部が前記一対の離間壁にそれぞれ固定され、他端部が自由端となる一対のアームと、前記一対のアームの他端部に設けられ、前記相手コネクタに当接される当接部と、前記進入方向に押し込まれると、前記ロックアームの突部が乗り上げることにより、前記係止部が前記係止突起を乗り上げる方向に当該ロックアームを撓ませる撓ませ部を有し、
前記コネクタは、前記一対のアーム間に挿入され、前記スライダが前記進入方向に押し込まれると前記当接部が乗り上がることにより、前記当接部の当接を解除させる解除部をさらに有し、
前記当接部が、前記一対のアームよりも前記可撓方向の前記相手コネクタに近い側に突出し、前記相手コネクタに当接される当接部本体と、前記一対のアームよりも前記可撓方向の前記相手コネクタから離れた側に突出し、嵌合解除を行うために当該スライダを前記進入方向に押し込む操作が行われる操作部と、を有し、
前記操作部が前記解除部に当接することにより前記当接部の当接が解除されることを特徴とするコネクタ構造。
【請求項３】
前記スライダは、前記進入方向及び前記ロックアームの可撓方向の双方に垂直な垂直方向に離間して並べられた一対の離間壁を有し、
前記撓ませ部が、前記一対の離間壁から内側に向かって突出して設けられ、
前記突部が、前記ロックアームの先端部から前記一対の離間壁の外側に向かって突出して設けられている
ことを特徴とする請求項１に記載のコネクタ構造。
【請求項４】
前記スライダは、前記一対の離間壁間に設けられ、一端部が前記一対の離間壁にそれぞれ固定され、他端部が自由端となる一対のアームと、前記一対のアームの他端部に設けられ、前記相手コネクタに当接される当接部と、を有する
ことを特徴とする請求項３に記載のコネクタ構造。
【請求項５】
前記コネクタは、前記一対のアーム間に挿入され、前記スライダが前記進入方向に押し込まれると前記当接部が乗り上がることにより、前記当接部の当接を解除させる解除部を有する
ことを特徴とする請求項４に記載のコネクタ構造。
【請求項６】
前記スライダは、嵌合解除を行うために当該スライダを前記進入方向に押し込む操作が行われる操作部を有する
ことを特徴とする請求項１又は請求項３〜５の何れか１項に記載のコネクタ構造。
【発明の詳細な説明】
【技術分野】
【０００１】
本発明は、コネクタ構造に関するものである。
【背景技術】
【０００２】
上述したコネクタ構造として、コネクタと、コネクタ内にスライド自在に設けられたスライダと、を備えたものが知られている（例えば特許文献１）。スライダは、コネクタ内に相手コネクタが進入すると相手コネクタに当接して相手コネクタの進入方向に押し込まれる。相手コネクタがさらに進入して相手コネクタ及びコネクタが嵌合すると、スライダと相手コネクタとの当接が解除されて、スライダが進入方向と逆の方向に戻される。このスライダの位置により、半嵌合か、完全嵌合かを検知することができる。
【０００３】
コネクタは、可撓性のロックアームと、ロックアームの先端部に設けられた係止部と、を有し、相手コネクタが進入するとコネクタの係止部が相手コネクタに設けた係止突起を乗り上げた後に、互いに係止される。
【０００４】
上述した従来のコネクタ構造においては、係止の強度は、相手コネクタの係止突起の形状、大きさに依存する。このため、係止の強度が高くなるように係止突起を設計すると、互いの係止を解除させるのが容易ではない。また、係止解除が容易になるように係止突起を設計すると、係止の強度が低下する。即ち、従来では、コネクタ及び相手コネクタの係止の強度を高くすることと、係止解除を容易にすることと、の両立を図るのが難しかった。また、相手コネクタの挿入力も、相手コネクタの係止突起の形状、大きさに依存する。このため、係止突起の設計の自由度が低下する、という問題があった。
【先行技術文献】
【特許文献】
【０００５】
【特許文献１】特開平１０−５０４０８号公報
【発明の概要】
【発明が解決しようとする課題】
【０００６】
そこで、本発明は、相手コネクタとの係止強度を高くすることと、係止解除を容易にすることと、の両立が容易となり、かつ、係止突起の設計の自由度を広げることができるコネクタ構造を提供することを課題とする。
【課題を解決するための手段】
【０００７】
上記課題を解決するためになされた請求項１記載の発明は、コネクタと、前記コネクタ内にスライド自在に設けられ、前記コネクタ内に相手コネクタが進入すると前記相手コネクタに当接して前記相手コネクタの進入方向に押し込まれ、さらに進入して前記相手コネクタ及び前記コネクタが嵌合すると前記相手コネクタとの当接が解除されて前記進入方向と逆の方向に戻されるスライダと、を備えたコネクタ構造であって、前記コネクタは、可撓性を有するロックアームと、前記ロックアームの先端部に設けられ、前記相手コネクタが挿入されると当該相手コネクタに設けられた係止突起を乗り上げた後に、当該係止突起と係止する係止部と、前記ロックアームの先端部に設けられた突部と、有し、前記スライダは、前記相手コネクタに当接して前記進入方向に押し込まれると、前記ロックアームの突部が乗り上げることにより、前記係止部が前記係止突起を乗り上げる方向に当該ロックアームを撓ませる傾斜面が設けられた、撓ませ部を有し、前記スライダにおいて、前記撓ませ部の傾斜面は、前記相手コネクタとの当接部よりも前記進入方向側に設けられていることを特徴とするコネクタ構造に存する。
請求項２記載の発明は、コネクタと、前記コネクタ内にスライド自在に設けられ、前記コネクタ内に相手コネクタが進入すると前記相手コネクタに当接して前記相手コネクタの進入方向に押し込まれ、さらに進入して前記相手コネクタ及び前記コネクタが嵌合すると前記相手コネクタとの当接が解除されて前記進入方向と逆の方向に戻されるスライダと、を備えたコネクタ構造であって、前記コネクタは、可撓性を有するロックアームと、前記ロックアームの先端部に設けられ、前記相手コネクタが挿入されると当該相手コネクタに設けられた係止突起を乗り上げた後に、当該係止突起と係止する係止部と、前記ロックアームの先端部に設けられた突部と、有し、前記スライダは、前記進入方向及び前記ロックアームの可撓方向の双方に垂直な垂直方向に離間して並べられた一対の離間壁と、前記一対の離間壁間に設けられ、一端部が前記一対の離間壁にそれぞれ固定され、他端部が自由端となる一対のアームと、前記一対のアームの他端部に設けられ、前記相手コネクタに当接される当接部と、前記進入方向に押し込まれると、前記ロックアームの突部が乗り上げることにより、前記係止部が前記係止突起を乗り上げる方向に当該ロックアームを撓ませる撓ませ部を有し、前記コネクタは、前記一対のアーム間に挿入され、前記スライダが前記進入方向に押し込まれると前記当接部が乗り上がることにより、前記当接部の当接を解除させる解除部をさらに有し、前記当接部が、前記一対のアームよりも前記可撓方向の前記相手コネクタに近い側に突出し、前記相手コネクタに当接される当接部本体と、前記一対のアームよりも前記可撓方向の前記相手コネクタから離れた側に突出し、嵌合解除を行うために当該スライダを前記進入方向に押し込む操作が行われる操作部と、を有し、前記操作部が前記解除部に当接することにより前記当接部の当接が解除されることを特徴とするコネクタ構造に存する。
【０００８】
請求項３記載の発明は、前記スライダは、前記進入方向及び前記ロックアームの可撓方向の双方に垂直な垂直方向に離間して並べられた一対の離間壁を有し、前記撓ませ部が、前記一対の離間壁から内側に向かって突出して設けられ、前記突部が、前記ロックアームの先端部から前記一対の離間壁の外側に向かって突出して設けられていることを特徴とする請求項１に記載のコネクタ構造に存する。
【０００９】
請求項４記載の発明は、前記スライダは、前記一対の離間壁間に設けられ、一端部が前記一対の離間壁にそれぞれ固定され、他端部が自由端となる一対のアームと、前記一対のアームの他端部に設けられ、前記相手コネクタに当接される当接部と、を有することを特徴とする請求項３に記載のコネクタ構造に存する。
【００１０】
請求項５記載の発明は、前記コネクタは、前記一対のアーム間に挿入され、前記スライダが前記進入方向に押し込まれると前記当接部が乗り上がることにより、前記当接部の当接を解除させる解除部を有することを特徴とする請求項４に記載のコネクタ構造に存する。
【００１１】
請求項６記載の発明は、前記スライダは、嵌合解除を行うために当該スライダを前記進入方向に押し込む操作が行われる操作部を有することを特徴とする請求項１又は請求項３〜５の何れか１項に記載のコネクタ構造に存する。
【発明の効果】
【００１２】
以上説明したように請求項１及び２記載の発明によれば、スライダが進入方向に押し込まれると、スライダの撓ませ部にロックアームの突部が乗り上げることにより、係止部が係止突起を乗り上げる方向にロックアームを撓ませる。これにより、コネクタの係止部と相手コネクタの係止突起との係止強度を高くしても、スライダの撓ませ部によりロックアームを撓ませて簡単に係止解除できる。このため、相手コネクタとの係止強度を高くすることと、係止解除を容易にすることと、の両立が容易となり、かつ、係止突起の設計の自由度を広げることができる。
【００１３】
請求項３記載の発明によれば、撓ませ部が、一対の離間壁から内側に向かって突出して設けられ、突部が、ロックアームの先端部から前記一対の離間壁の外側に向かって突出して設けられている。これにより、簡単に撓ませ部、突部を設けることができる。
【００１４】
請求項４記載の発明によれば、スライダが、一対の離間壁間に設けられ、一端部が一対の離間壁にそれぞれ固定され、他端部が自由端となる一対のアームと、一対のアームの他端部に設けられ、相手コネクタに当接される当接部と、を有する。これにより、簡単に当接部を設けることができる。
【００１５】
請求項５記載の発明によれば、解除部は一対のアーム間に挿入される。さらに、スライダが進入方向に押し込まれると、当接部が解除部に乗り上がることにより、当接部の当接を解除させる。これにより、解除部とアームとが干渉することなく簡単に当接部の当接を解除できる。
【００１６】
請求項６記載の発明によれば、操作部を操作してスライダを進入方向に押し込むことに
より、スライダの撓ませ部によりロックアームを撓ませて簡単に係止解除できる。
【図面の簡単な説明】
【００１７】
【図１】本発明のコネクタ構造の一実施形態を示す分解斜視図である。
【図２】図１に示すコネクタ構造の正面図である。
【図３】（Ａ）は図２のＡ−Ａ線断面図であり、（Ｂ）は（Ａ）のＣ部分拡大図である。
【図４】（Ａ）は図２のＢ−Ｂ線断面図である。
【図５】（Ａ）及び（Ｂ）は、コネクタ構造の雌コネクタ内に雄コネクタの進入を開始させたときのコネクタ構造の断面図及び断面斜視図である。
【図６】（Ａ）は雄コネクタを図５よりもさらに進入させたときのコネクタ構造の断面図であり、（Ｂ）は（Ａ）のＤ部拡大図である。
【図７】（Ａ）は図６に示す状態のコネクタ構造の断面斜視図であり、（Ｂ）は（Ａ）のＥ部拡大図である。
【図８】（Ａ）は雄コネクタを図６よりもさらに進入させたときのコネクタ構造の断面図であり、（Ｂ）及び（Ｃ）は（Ａ）のＦ部及びＧ部拡大図である。
【図９】（Ａ）は図８に示す状態のコネクタ構造の断面斜視図であり、（Ｂ）及び（Ｃ）は（Ａ）のＨ部及びＩ部拡大図である。
【図１０】（Ａ）は雄コネクタを図８よりもさらに進入させたときのコネクタ構造の断面図であり、（Ｂ）及び（Ｃ）は（Ａ）のＪ部及びＫ部拡大図である。
【図１１】（Ａ）は図１０に示す状態のコネクタ構造の断面斜視図であり、（Ｂ）及び（Ｃ）は（Ａ）のＬ部及びＭ部拡大図である。
【図１２】（Ａ）は雄コネクタ及び雌コネクタが嵌合したときのコネクタ構造の断面図であり、（Ｂ）は（Ａ）のＮ部拡大図である。
【図１３】（Ａ）は図１２に示す状態のコネクタ構造の断面斜視図であり、（Ｂ）は（Ａ）のＯ部拡大図である。
【図１４】（Ａ）は雄コネクタ及び雌コネクタの嵌合解除するためにスライダを進入方向にスライドさせたときの断面図であり、（Ｂ）は（Ａ）のＰ部拡大図である。
【図１５】（Ａ）は図１４に示す状態のコネクタ構造の断面斜視図であり、（Ｂ）は（Ａ）のＱ部拡大図である。
【図１６】（Ａ）はスライダを図１４よりもさらに進入方向にスライドさせたときの断面図であり、（Ｂ）はＲ部拡大図である。
【図１７】（Ａ）は図１６に示す状態のコネクタ構造の断面斜視図であり、（Ｂ）は（Ａ）のＳ部拡大図である。
【図１８】（Ａ）はスライダを図１６よりもさらに進入方向にスライドさせたときの断面図であり、（Ｂ）及び（Ｃ）はＴ部及びＵ部拡大図である。
【図１９】（Ａ）は図１８に示す状態のコネクタ構造の断面斜視図であり、（Ｂ）及び（Ｃ）はＶ部及びＷ部拡大図である。
【図２０】雄コネクタを雌コネクタから離脱したときのコネクタ構造の断面図である。
【図２１】図２０に示す状態のコネクタ構造の断面斜視図である。
【発明を実施するための形態】
【００１８】
以下、本発明のコネクタ構造について図１〜図４を参照して説明する。図１などに示すように、コネクタ構造１は、コネクタとしての雌コネクタ２と、雌コネクタ２内にスライド自在に設けられたスライダ３と、スライダ３を付勢する一対の圧縮バネ４と、を備えている。
【００１９】
スライダ３は、雌コネクタ２内に相手コネクタとしての雄コネクタ５（図５など参照）が進入すると雄コネクタ５に当接して雄コネクタ５の進入方向Ｙ１１に押し込まれる。雄コネクタ５がさらに進入して雌コネクタ２及び雄コネクタ５が嵌合すると、スライダ３と雄コネクタ５との当接が解除されて、スライダ３が反進入方向Ｙ１２（進入方向と逆の方向）に戻される。圧縮バネ４は、スライダ３を反進入方向Ｙ１２に向けて付勢する。
【００２０】
まず、雌コネクタ２の詳細な構成について説明する。雌コネクタ２は、雌端子２１と、雌端子２１、スライダ３及び圧縮バネ４を収容する雌ハウジング２２と、を備えている。雌端子２１は、導電部材から構成され、後述する雄コネクタ５の雄端子５１（図５など参照）に電気的に接続される周知の雌端子である。
【００２１】
雌ハウジング２２は、合成樹脂などから構成され、図１などに示す、雌端子２１が収容される端子収容部２２１と、端子収容部２２１の進入方向Ｙ１１を軸とした軸回りに囲む筒状のフード部２２２と、雄コネクタ５を嵌合するために設けた可撓性を有する一対のロックアーム２２３及び係止部２２４（図３及び図４参照）と、後述するスライダ３のリブ３４に乗り上げられる突部２２５（図３参照）と、スライダ３及び雄コネクタ５の当接を解除するために設けた解除部２２６（図１及び図４参照）と、が一体に設けられている。
【００２２】
端子収容部２２１は、進入方向Ｙ１１に沿って貫通した複数の端子収容室が設けられ、当該端子収容室内にそれぞれ雌端子２１が収容される。フード部２２２内には、図１に示すように、雄コネクタ５が進入される雄コネクタ収容室２２２Ａと、スライダ３が収容されるスライダ収容室２２２Ｂと、圧縮バネ４が収容されるバネ収容室２２２Ｃと、がそれぞれ設けられている。
【００２３】
雄コネクタ収容室２２２Ａは、フード部２２２内において端子収容部２２１周りの空間である。スライダ収容室２２２Ｂは、雄コネクタ収容室２２２Ａの上下方向Ｙ２（後述するロックアーム２２３の可撓方向）上側に設けられている。バネ収容室２２２Ｃは、スライダ収容室２２２Ｂの幅方向Ｙ３（進入方向Ｙ１１及びロックアーム２２３の可撓方向の双方に垂直な垂直方向）両側に設けられている。バネ収容室２２２Ｃは、スライダ収容室２２２Ｂの幅方向Ｙ３両側のフード部２２２内面を凹状に形成して設けられる。
【００２４】
また、雌ハウジング２２には、図３に示すように、バネ収容室２２２Ｃの進入方向Ｙ１１側の開口を塞ぐ壁部２２７と、進入方向Ｙ１１側のスライダ収容室２２２Ｂ及びバネ収容室２２２Ｃを仕切る隔壁部２２８と、がさらに一体に設けられている。隔壁部２２８は、幅方向Ｙ３内側に向かって凸となる断面弧状に湾曲して設けられている。
【００２５】
一対のロックアーム２２３は、幅方向Ｙ３に離間して並べて設けられ、進入方向Ｙ１１に沿って長尺状に設けられている。ロックアーム２２３は、図４に示すように、進入方向Ｙ１１側の一端部が後述する解除部２２６の下面に固定され、反進入方向Ｙ１２の他端部（先端部）が自由端となる片持ち構造に設けられ、上下方向Ｙ２に可撓に設けられている。
【００２６】
係止部２２４は、図３に示すように、一対のロックアーム２２３の先端部と先端部との間に、幅方向Ｙ３に沿って設けられている。突部２２５は、一対のロックアーム２２３の先端部からそれぞれ幅方向Ｙ３外側に向かって突出して設けられている。これら係止部２２４及び突部２２５の反進入方向Ｙ１２側の端面には、図４に示すように、反進入方向Ｙ１２に向かうに従って上下方向Ｙ２上側に向かう傾斜面２２４Ａが設けられている。
【００２７】
解除部２２６は、上下方向Ｙ２上側のフード部２２２内面から突出して設けられている。解除部２２６の反進入方向Ｙ１２側の端面には、進入方向Ｙ１１に向かうに従って上下方向Ｙ２上側に近づく傾斜面２２６Ａが設けられている。フード部２２２には、図１に示すように、反進入方向Ｙ１２の端部まで延在するスリット２２２Ｄが設けられ、傾斜面２２６Ａはスリット２２２Ｄから露出している。
【００２８】
スライダ３は、図１などに示すように、一対の離間壁としての一対のスライダ本体３１と、一対のアーム３２と、当接部としてのコネクタ当接部３３と、撓ませ部としてのリブ３４と、バネ当接部３５と、係止部３６と、を有している。
【００２９】
一対のスライダ本体３１は、進行方向Ｙ１１に沿って延び、幅方向Ｙ３に並べられている。一対のスライダ本体３１の幅方向Ｙ３外側の面は、断面円弧状の隔壁部２２８が嵌め込まれるような凹状に設けられている。図３に示すように、スライダ本体３１の進入方向Ｙ１１側の端部が、隔壁部２２８間に位置付けられ、隔壁部２２８に沿ってスライドする。
【００３０】
一対のアーム３２は、一対のスライダ本体３１間に設けられ、進入方向Ｙ１１側の一端部が一対のスライダ本体３１にそれぞれ固定され、反進入方向Ｙ１２側の他端部（先端部）が自由端となる片持ち構造に設けられ、上下方向Ｙ２に可撓に設けられている。この一対のアーム３２間に解除部２２６が位置付けられている（挿入されている）。
【００３１】
コネクタ当接部３３は、一対のアーム３２の他端部間に設けられ、後述する雄コネクタ５に当接される。コネクタ当接部３３には、アーム３２よりも下方に突出した当接部本体３３Ａと、アーム３２よりも上方に突出した操作部３３Ｂと、が設けられている。当接部本体３３Ａの反進入方向Ｙ１１側の端面が、後述する雄コネクタ５に当接される。また、当接部本体３３Ａの進入方向Ｙ１２側の端面には、進入方向Ｙ１１に向かうに従って上下方向Ｙ１上側に近づく傾斜面３３Ｃが設けられている。操作部３３Ｂは、作業者が指で押してスライダ３を進入方向Ｙ１１にスライドさせて、嵌合解除するためのものであり、反進入方向Ｙ１２側が階段状に設けられている。
【００３２】
リブ３４は、一対のスライダ本体３１から幅方向Ｙ３内側に向かって突出して設けられる。リブ３４は、進入方向Ｙ１１に沿って設けられ、進入方向Ｙ１１側の端面には反進入方向Ｙ１２に向かうに従って上下方向Ｙ２上側に近づく傾斜面３４Ａが設けられている。
【００３３】
バネ当接部３５は、スライダ本体３１から幅方向Ｙ３外側のバネ収容室２２２Ｃに向かって突出して設けられている。係止部３６は、スライダ本体３１から上側に向かって突出して設けられ、図示しない雌ハウジング２２のフード部２２２内面から突出させた図示しない係止突起に係止し、スライダ３の反進入方向Ｙ１２の移動を規制する。係止部３６には、進入方向Ｙ１１に向かうに従って突出量が小さくなる傾斜面３６Ａが設けられている。
【００３４】
圧縮バネ４は、例えば周知のコイルバネであり、一端が壁部２２７に当接し、他端がスライダ３のバネ当接部３５に当接している。これにより、圧縮バネ４は、スライダ３を反進入方向Ｙ１２に向けて付勢している。
【００３５】
次に、このコネクタ構造１に嵌合される雄コネクタ５の構造について図５などを参照して説明する。雄コネクタ５は、雄端子５１と、雄ハウジング５２と、を備えている。雄端子５１は、導電部材から構成され、雌端子２１に電気的に接続される周知の雄端子である。雄ハウジング５２は、筒状に形成されていて、内部に雄端子５１を収容する。雄ハウジング５２には、雌コネクタ２の係止部２２４に係止する係止突起５２Ａと、スライダ３のコネクタ当接部３３に当接する当接突起５２Ｂと、が設けられている。
【００３６】
係止突起５２Ａ及び当接突起５２Ｂは、上下方向Ｙ２上側に向かって突設され、進入方向Ｙ１１に沿って並べられている。係止突起５２Ａは、当接突起５２Ｂよりも進入方向Ｙ１１側に設けられている。また、係止突起５２Ａは、当接突起５２Ｂよりも突出量が大きい。
【００３７】
次に、上述した構成の雌コネクタ２と雄コネクタ５との嵌合動作について図５〜図１２を参照して以下説明する。図５に示すように、雌コネクタ２と雄コネクタ５とが嵌合していない状態では、スライダ３は、圧縮バネ４により付勢され、係止部３６と雌ハウジング２２に設けた図示しない係止突起とが係止する係止位置に位置付けられている。この状態では、雌コネクタ２の係止部２２４及び突部２２５よりも反進入方向Ｙ１２側にスライダ３のリブ３４が位置付けられる。
【００３８】
まず、図５に示すように、雌コネクタ２の雄コネクタ収容室２２２Ａに雄コネクタ５を進行方向Ｙ１１に向けて進入させる。すると、図５に示すように、スライダ３のコネクタ当接部３３が雄コネクタ５の当接突起５２Ｂに当接する。さらに、雄コネクタ５を進入させると、スライダ３が進入方向Ｙ１１に押し込まれ、スライダ３のリブ３４が雌コネクタ２の突部２２５に近づくと共に、スライダ３のコネクタ当接部３３が雌コネクタ２の解除部２２６に近づく。
【００３９】
さらに、雄コネクタ５を進入させると、まず図６及び図７に示すように、リブ３４の進入方向Ｙ１１側の先端部が突部２２５に当接する。その後、突部２２５は、リブ３４の傾斜面３４Ａを乗り上げる。これにより、雄コネクタ５を進入させるに従ってロックアーム２２３の先端部が上方に向かって撓み、突部２２５がリブ３４の傾斜面３４Ａよりも反進入方向Ｙ１２側に位置すると、図８（Ａ）及び図１０（Ｃ）に示すように、ロックアーム２２３先端部に設けられた係止部２２４が係止突起５２Ａよりも上方に位置付けられる。
【００４０】
また、係止部２２４が係止突起５２Ａよりも上方に位置付けられた後に、図８及び図９に示すように、解除部２２６の反進入方向Ｙ１２側の先端がコネクタ当接部３３に当接する。その後、コネクタ当接部３３は、解除部２２６の傾斜面２２６Ａを乗り上げる。これにより、雄コネクタ５を進入させるに従ってスライダ３のアーム３２先端部が上方に撓み、図１０及び図１１に示すように、アーム３２先端部に設けられたコネクタ当接部３３が当接突起５２Ｂよりも上方に位置付けられる。
【００４１】
コネクタ当接部３３が当接突起５２Ｂ上を乗り上げている間は、コネクタ当接部３３と当接突起５２Ｂとの間に生じる摩擦力が圧縮バネ４の付勢力より大きいため、スライダ３は反進入方向Ｙ１２に向かうことはない。
【００４２】
さらに、雄コネクタ５を進入させると、コネクタ当接部３３が当接突起５２Ｂよりも反進入方向Ｙ１２に位置すると同時に、係止部２２４が係止突起５２Ａよりも反進入方向Ｙ１２に位置する。コネクタ当接部３３が当接突起５２Ｂよりも反進入方向Ｙ１２に位置すると、コネクタ当接部３３と当接突起５２Ｂとの当接が解除され、アーム３２の先端が下方に復元すると共に、圧縮バネ４の付勢力によりスライダ３が反進入方向Ｙ１２に向かって押されて移動する。
【００４３】
これにより、図１２及び図１３に示すように、スライダ３のリブ３４が係止部２２４よりも反進入方向Ｙ１２側に移動するため、ロックアーム２２３の先端が下方に復元し、係止部２２４と係止突起５２Ａとが係止して、雄コネクタ５及び雌コネクタ２が完全嵌合する。
【００４４】
次に、雌コネクタ２と雄コネクタ５との嵌合解除動作について図１４〜図２２を参照して以下説明する。まず、作業員はスライダ３の操作部３３Ｂを押して、スライダ３を進入方向Ｙ１１にスライドさせる。これにより、図１４及び図１５に示すように、スライダ３のリブ３４が雌コネクタ２の突部２２５に近づくと共に、スライダ３のコネクタ当接部３３が雌コネクタ２の解除部２２６に近づく。
【００４５】
さらに、スライダ３をスライドさせると、図１４及び図１５に示すように、リブ３４の進入方向Ｙ１１側の先端部が突部２２５に当接する。その後、突部２２５は、リブ３４の傾斜面３４Ａを乗り上げる。これにより、スライダ３をスライドさせるに従ってロックアーム２２３の先端部が上方に撓み、突部２２５がリブ３４の傾斜面３４Ａよりも反進入方向Ｙ１２側に位置すると、図１６及び図１７に示すように、ロックアーム２２３先端部に設けられた係止部２２４が係止突起５２Ａよりも上方に位置付けられ、係止が解除される。
【００４６】
さらに、スライダ３を進入方向Ｙ１１にスライドさせると、図１６及び図１７に示すように、コネクタ当接部３３の傾斜面３３Ｃと当接突起５２Ｂとが当接する。その後、図１８及び図１９に示すように、コネクタ当接部３３の傾斜面３３Ｃが当接突起５２Ｂを乗り上げる。さらにその後、コネクタ当接部３３は、解除部２２６の傾斜面２２６Ａを乗り上げる。これにより、スライダ３をスライドさせるに従ってアーム３２の先端部が上方に撓み、アーム３２先端部に設けられたコネクタ当接部３３が当接突起５２Ｂよりも上方に位置付けられる。この状態で、作業員が雄コネクタ５を持って反進入方向Ｙ１２に引き抜けば、図２０及び図２１に示すように、雄コネクタ５を雌コネクタ２から離脱させることができる。
【００４７】
上述したようにスライダ３の動作は、嵌合時も嵌合解除時も同じである。即ち、雄端子５１に押されて（嵌合時）、或いは、操作部３３Ｂの操作により（嵌合解除時）、スライダ３が進入方向Ｙ１１に押し込まれると、雌コネクタ２の突部２２５がリブ３４を乗り上げることにより、係止部２２４が係止突起５２Ａを乗り上げる方向にロックアーム２２３を撓ませる。
【００４８】
これにより、雌コネクタ２の係止部２２４と雄コネクタ５の係止突起５２Ａとの係止強度を高くしても、スライダ３のリブ３４によりロックアーム２２３を撓ませて簡単に係止解除できる。このため、雄コネクタ５との係止強度を高くすることと、係止解除を容易にすることと、の両立が容易となり、かつ、係止突起５２Ａの設計の自由度を広げることができる。
【００４９】
上述した実施形態によれば、リブ３４が、一対のスライダ本体３１から内側に向かって突出して設けられ、突部２２５が、ロックアーム２２３の先端部から一対のスライダ本体３１の外側に向かって突出して設けられている。これにより、簡単にリブ３４、突部２２５を設けることができる。
【００５０】
上述した実施形態によれば、スライダ３が、一対のスライダ本体３１間に設けられ、一端部が一対のスライダ本体３１にそれぞれ固定され、他端部が自由端となる一対のアーム３２と、一対のアーム３２の他端部に設けられ、雄コネクタ５に当接されるコネクタ当接部３３と、を有する。これにより、簡単にコネクタ当接部３３を設けることができる。
【００５１】
上述した実施形態によれば、解除部２２６は一対のアーム３２間に挿入される。さらに、スライダ３が進入方向Ｙ１１に押し込まれると、コネクタ当接部３３が解除部２２６に乗り上がることにより、コネクタ当接部３３の当接を解除させる。これにより、解除部２２６とアーム３２とが干渉することなく簡単にコネクタ当接部３３の当接を解除できる。
【００５２】
なお、上述した実施形態によれば、ロックアーム２２３は一対設けられていたが、これに限ったものではない。ロックアーム２２３は１つであってもよい。
【００５３】
また、上述した実施形態によれば、一対の離間壁としては、雌ハウジング２２の隔壁部２２８にスライド嵌合されたスライダ本体３１から構成していたが、これに限ったものではない。例えば、一対の離隔壁としては、例えば板状のスライダ３から下側に向かって突出して設けることも考えられる。
【００５４】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５５】
１  コネクタ構造
２  雌コネクタ（コネクタ）
３  スライダ
５  雄コネクタ（相手コネクタ）
３１  スライダ本体（離間壁）
３２  アーム
３３  コネクタ当接部（当接部）
３３Ｂ  操作部
３４  リブ（撓ませ部）
５２Ａ  係止突起
２２３  ロックアーム
２２４  係止部
２２５  突部
２２６  解除部
Ｙ１１  進入方向
Ｙ１２  反進入方向（進入方向と逆の方向）
Ｙ２  上下方向（可撓方向）
Ｙ３  幅方向（垂直方向）
【図１】
0006326008.tif 000002
【図２】
0006326008.tif 000003
【図３】
0006326008.tif 000004
【図４】
0006326008.tif 000005
【図５】
0006326008.tif 000006
【図６】
0006326008.tif 000007
【図７】
0006326008.tif 000008
【図８】
0006326008.tif 000009
【図９】
0006326008.tif 000010
【図１０】
0006326008.tif 000011
【図１１】
0006326008.tif 000012
【図１２】
0006326008.tif 000013
【図１３】
0006326008.tif 000014
【図１４】
0006326008.tif 000015
【図１５】
0006326008.tif 000016
【図１６】
0006326008.tif 000017
【図１７】
0006326008.tif 000018
【図１８】
0006326008.tif 000019
【図１９】
0006326008.tif 000020
【図２０】
0006326008.tif 000021
【図２１】
0006326008.tif 000022